(57)【特許請求の範囲】
【請求項１】
デジタル放送及びアナログ放送を受信可能な放送受信機において、
予め設定された条件が成立した場合にアナログ放送の終了と判断する判断手段と、
所定のアナログ放送用の機能を削除する削除処理を行う削除手段と、を備え、
表示手段においてデジタル放送用の機能及びアナログ放送用の機能を選択するための表示を行う表示制御処理機能を具備し、
前記削除手段は、
前記判断手段によりアナログ放送が終了していないと判断されると、前記削除処理を実行せず、一方、前記判断手段によりアナログ放送が終了したと判断されると、前記削除処理として、チャンネルマップにおけるアナログ放送のチャンネルデータを削除する削除処理と、前記表示制御処理機能のうち、アナログ放送用の機能を選択するための表示を行う機能を削除する削除処理と、を実行することを特徴とする放送受信機。
【請求項２】
デジタル放送及びアナログ放送を受信可能な放送受信機において、
予め設定された条件が成立した場合にアナログ放送の終了と判断する判断手段と、
所定のアナログ放送用の機能を削除する削除処理を行う削除手段と、を備え、
表示手段においてデジタル放送用の機能及びアナログ放送用の機能を選択するための表示を行う表示制御処理機能を具備し、
前記削除手段は、
前記判断手段によりアナログ放送が終了していないと判断されると、前記削除処理を実行せず、一方、前記判断手段によりアナログ放送が終了したと判断されると、前記削除処理として、前記表示制御処理機能のうち、アナログ放送用の機能を選択するための表示を行う機能を削除する削除処理を実行することを特徴とする放送受信機。
【請求項３】
前記削除手段は、
チャンネルマップにおけるアナログ放送のチャンネルデータを削除することを特徴とする請求項２に記載の放送受信機。 
【発明の詳細な説明】
【技術分野】
【０００１】
本発明は、アナログ放送及びデジタル放送を受信可能な放送受信機に関する。
【背景技術】
【０００２】
アメリカ、日本、ヨーロッパにおける地上波放送は、デジタル放送とアナログ放送が混在しており、放送受信機は、デジタル放送及びアナログ放送の両方を受信する機能を備えたものが主流である。しかしながら、今後、アナログ放送は、地域ごとに定められた一定の時期に終了する予定であるため、アナログ放送の終了後は、アナログ放送を受信するための機能が不要となり、デジタル及びアナログ放送に対応可能な受信装置において、ユーザの操作が煩雑になるという問題があった。
【０００３】
そのため、例えば、特許文献１には、リモコン送信機のアナログＣＨ変換キーを操作することにより、ポジションに対応付けられたチャンネルであって無局化したチャンネルの番号及びポジションに対応付けられていないチャンネルであって有局のチャンネルの番号リストが表示される放送受信装置が開示されており、これによれば、地上波デジタル放送の導入に伴い地上波アナログ放送のチャンネルに変更が生じた場合でも、ユーザは、番号リストから受信チャンネルを選択し、移行先チャンネルを見つけ出して、容易にチャンネル変更設定を行うことができる。
また、例えば、特許文献２には、リモートコントローラに第１のワンタッチ選局キー群と第２のワンタッチ選局キー群とを配置し、第２のワンタッチ選局キー群に地上アナログ放送のチャンネルを割り当て、第１のワンタッチ選局キー群にモード切り替えを行うことによって、地上デジタル放送、ＢＳデジタル放送及び１１０度ＣＳデジタル放送を割り当てることが可能な放送受信装置が開示されており、これによれば、地上アナログ放送が廃止された場合には、第２のワンタッチ選局キー群を地上デジタル放送の選局に使用するように割り当てるだけで、何ら問題なく対応することが可能となる。
【０００４】
しかしながら、上記した特許文献１及び特許文献２の放送受信装置では、アナログ放送の停波に際して、ユーザは、無局化した地上アナログ放送のチャンネルを地上デジタル放送のチャンネルに置き換えるための変更作業や、第２のワンタッチ選局キー群を地上デジタル放送の選局に使用するように割り当てる作業等の何らかの作業をしなければならず、手間がかかるという問題があった。
【０００５】
そこで、例えば、特許文献３には、デジタル放送受信部で受信したデジタル放送信号から取得した変更サイマルチャンネルテーブルデータをフラッシュメモリのサイマルチャンネルテーブルに取り込んでダウンロードし、フラッシュメモリのサイマルチャンネルテーブルに記憶したサイマルチャンネルテーブルデータを変更サイマルチャンネルテーブルデータに更新するデータ更新処理を行うテレビジョン放送受信装置が開示されている。これによれば、アナログ放送の停波後に、アナログ放送の放送チャンネルの選局を試みた場合、表示手段の表示画面上にアナログ放送の放送チャンネルと同一番組のサイマル放送を行っているデジタル放送側の放送チャンネルに移行するようにメッセージがＯＳＤ表示させるので、アナログ放送の停波後も従来どおりの番組がデジタル放送側で視聴可能なことを視聴者に対して通知することができ、さらに、アナログ放送の放送チャンネルと同一番組のサイマル放送を行っていたデジタル放送側の放送チャンネルに自動的に移行する。
また、例えば、特許文献４には、放送局の放送時間帯情報を予め保持し、受信中の放送波の停波を検知した際、その告知情報から取得した放送局の周波数変更期間情報と放送時間帯情報とが停波を検知した日時に該当する場合に、周波数サーチを行い、周波数サーチの結果取得した周波数情報に従ってチャンネルのプリセットが行われる地上デジタル受信機が開示されている。
そして、上述した特許文献３によれば、地上アナログ放送の停波後は、自動的にアナログ放送の放送チャンネルと同一番組のサイマル放送を行っていたデジタル放送のチャンネルに移行することとなり、視聴者のアナログ放送側からデジタル放送側に変える手間を省くことができる。また、特許文献４の開示された放送受信装置によれば、地上アナログ放送の停波に伴い、自動的にチャンネルの更新が行なわれることとなるため、ユーザの手間を省くことができる。
【特許文献１】特開２００４−３１２４４７号公報
【特許文献２】特開２００４−３６３９１０号公報
【特許文献３】特開２００４−３２０４４９号公報
【特許文献４】特開２００４−１８６９８２号公報
【発明の開示】
【発明が解決しようとする課題】
【０００６】
しかしながら、特許文献３、４に開示された放送受信機であっても、例えば、メニュー画面等においては、依然としてアナログ放送用のチャンネルが表示されるために選局操作が煩雑になる等のように、放送受信機においてアナログ放送用の機能が残るために、ユーザの操作が煩雑になるという問題があった。
【０００７】
本発明の課題は、デジタル放送及びアナログ放送を受信可能な放送受信機において、地上アナログ放送終了後のユーザの操作性を向上させることである。
【課題を解決するための手段】
【０００８】
上記課題を解決するため、請求項１に記載の発明は、デジタル放送及びアナログ放送を受信可能な放送受信機において、
予め設定された条件が成立した場合にアナログ放送の終了と判断する判断手段と、
所定のアナログ放送用の機能を削除する削除処理を行う削除手段と、を備え、
表示手段においてデジタル放送用の機能及びアナログ放送用の機能を選択するための表示を行う表示制御処理機能を具備し、
前記削除手段は、
前記判断手段によりアナログ放送が終了していないと判断されると、前記削除処理を実行せず、一方、前記判断手段によりアナログ放送が終了したと判断されると、前記削除処理として、チャンネルマップにおけるアナログ放送のチャンネルデータを削除する削除処理と、前記表示制御処理機能のうち、アナログ放送用の機能を選択するための表示を行う機能を削除する削除処理と、を実行することを特徴とする。 
【０００９】
請求項２に記載の発明は、デジタル放送及びアナログ放送を受信可能な放送受信機において、
予め設定された条件が成立した場合にアナログ放送の終了と判断する判断手段と、
所定のアナログ放送用の機能を削除する削除処理を行う削除手段と、を備え、
表示手段においてデジタル放送用の機能及びアナログ放送用の機能を選択するための表示を行う表示制御処理機能を具備し、
前記削除手段は、
前記判断手段によりアナログ放送が終了していないと判断されると、前記削除処理を実行せず、一方、前記判断手段によりアナログ放送が終了したと判断されると、前記削除処理として、前記表示制御処理機能のうち、アナログ放送用の機能を選択するための表示を行う機能を削除する削除処理を実行することを特徴とする。
【００１１】
請求項３に記載の発明は、請求項２に記載の放送受信機において、前記削除手段は、
チャンネルマップにおけるアナログ放送のチャンネルデータを削除することを特徴とする。 
【発明の効果】
【００１３】
請求項１に記載の発明によれば、判断手段は、予め設定された条件が成立した場合にアナログ放送の終了と判断し、削除手段は、判断手段によりアナログ放送が終了していないと判断されると、削除処理を実行せず、一方、判断手段によりアナログ放送が終了したと判断されると、削除処理として、表示制御処理機能のうち、アナログ放送用の機能を選択するための表示を行う機能を削除する削除処理を実行するので、アナログ放送が終了するまでは、デジタル放送用の機能及びアナログ放送用の機能の両方を選択することができるとともに、アナログ放送の終了に伴って、表示制御処理機能のうち、アナログ放送用の機能を選択するための表示を行う機能のみの削除が自動的に行われることとなって、ユーザの操作性を向上させることができる。即ち、アナログ放送終了後に、ユーザが表示手段において、誤ってアナログ放送用の機能を選択することがなくなるとともに、デジタル放送用の機能を選択し易くなり、表示手段におけるユーザの操作性を向上させることができる。
さらに、削除手段は、チャンネルマップにおけるアナログ放送のチャンネルデータを削除するので、アナログ放送終了後に、ユーザが誤ってアナログ放送のチャンネルを選局することがなくなるとともに、デジタル放送のチャンネルを選局し易くなり、チャンネルの選局におけるユーザの操作性を向上させることができる。
【００１４】
請求項２に記載の発明によれば、デジタル放送及びアナログ放送を受信可能な放送受信機において、削除手段は、判断手段によりアナログ放送が終了していないと判断されると、削除処理を実行せず、一方、判断手段によりアナログ放送が終了したと判断されると、削除処理として、表示制御処理機能のうち、アナログ放送用の機能を選択するための表示を行う機能を削除する削除処理を実行するので、アナログ放送が終了するまでは、デジタル放送用の機能及びアナログ放送用の機能の両方を選択することができるとともに、アナログ放送の終了に伴って、表示制御処理機能のうち、アナログ放送用の機能を選択するための表示を行う機能のみの削除が自動的に行われることとなって、ユーザの操作性を向上させることができる。即ち、アナログ放送終了後に、ユーザが表示手段において、誤ってアナログ放送用の機能を選択することがなくなるとともに、デジタル放送用の機能を選択し易くなり、表示手段におけるユーザの操作性を向上させることができる。
【００１６】
請求項３に記載の発明によれば、請求項２に記載の発明の効果が得られるのは無論のこと、削除手段は、チャンネルマップにおけるアナログ放送のチャンネルデータを削除するので、アナログ放送終了後に、ユーザが誤ってアナログ放送のチャンネルを選局することがなくなるとともに、デジタル放送のチャンネルを選局し易くなり、チャンネルの選局におけるユーザの操作性をより向上させることができる。
【発明を実施するための最良の形態】
【００１８】
以下、図面を参照しながら、本発明の実施の形態を詳細に説明する。本実施形態では、デジタル放送及びアナログ放送を受信可能な放送受信機として、テレビジョン放送受信機（以下、テレビジョン受信機と称する。）１００について説明する。このテレビジョン受信機１００は、デジタル放送信号の処理を行うデジタル受信部と、アナログ放送信号の処理を行うアナログ放送受信部と、デジタル放送及びアナログ放送の処理を共通して行う共通部から構成されており、デジタル放送及びアナログ放送の両テレビジョン放送信号を受信することができる。
【００１９】
本実施形態におけるテレビジョン受信機１００は、受信機本体１内に、例えば、デジタル放送信号を受信するデジタルアンテナ２と、アナログ放送信号を受信するアナログアンテナ３と、デジタルアンテナ２により受信されたデジタル放送信号から所定のチャンネルの放送信号を選局するデジタルチューナ４と、アナログアンテナ３により受信されたアナログ放送信号から所定のチャンネルの放送信号を選局するアナログチューナ５と、デジタルチューナ４により選局された放送信号を復調するデジタル復調部６と、アナログチューナ５により選局された放送信号を復調するアナログ復調部７と、デジタル復調部６により復調されたデジタル放送信号を分離するＴＳデコーダ８と、ＴＳデコーダ８により分離されたデジタル放送信号を復号するデジタル映像・音声デコーダ９と、アナログ復調部７により復調されたアナログ放送信号を復号するアナログ映像・音声デコーダ１０と、デジタル映像・音声デコーダ９又はアナログ映像・音声デコーダ１０からの出力に経路を切り替える切替部１１と、映像・音声デコーダにより復号された映像信号に対して所定の処理を行う映像処理部１２と、映像・音声デコーダにより復号された音声信号に対して所定の処理を行う音声処理部１３と、映像処理部１２により処理された映像信号にＯＳＤデータを付加するＯＳＤ付加回路１４と、映像処理部１２により処理された映像信号を出力する映像出力部１５と、音声処理部１３により処理された音声信号を出力する音声出力部１６と、ユーザが各種指示を受信機本体１に対して送信することにより、受信機本体１を操作するためのキー入力部１７と、受信機本体１全体を統括制御する制御部１８と、を備えて構成されている。
このうち、デジタル放送受信部は、デジタルアンテナ２、デジタルチューナ４、デジタル復調部６、ＴＳデコーダ８、デジタル映像・音声デコーダ９等から構成され、アナログ放送受信部は、アナログアンテナ３、アナログチューナ５、アナログ復調部７、アナログ映像・音声デコーダ１０等から構成される。
【００２０】
デジタルアンテナ２は、例えば、屋外において所定の方向に向けて配置されており、図示しないテレビジョン放送局等から発信される高周波（RF）のデジタル放送信号（RF信号）を受信する。また、アナログアンテナ３は、例えば、屋外において所定の方向に向けて配置されており、図示しないテレビジョン放送局等から発信される高周波（RF）のアナログ放送信号（RF信号）を受信する。
【００２１】
デジタルチューナ４は、例えば、図示は省略するが、高周波増幅回路と、局部発振回路及び混合回路から成る周波数変換回路と、を備えて構成されており、デジタルアンテナ２により入力されたデジタル放送信号を、高周波増幅回路において増幅するとともに、混合回路において、局部発振回路から出力される局部発振信号と混合する。さらに、特定の周波数を選局するための制御部１８からの制御出力に応じて、特定周波数帯の中間周波信号（IF信号）を受信して、デジタル復調部６に出力する。また、アナログチューナ５は、例えば、図示は省略するが、高周波増幅回路と、局部発振回路及び混合回路から成る周波数変換回路と、を備えて構成されており、アナログアンテナ３により入力されたアナログ放送信号を、高周波増幅回路において増幅するとともに、混合回路において、局部発振回路から出力される局部発振信号と混合する。さらに、特定の周波数を選局するための制御部１８からの制御出力に応じて、特定周波数帯の中間周波信号（IF信号）を受信して、アナログ復調部７に出力する。
ここで、制御部１８から入力されるチャンネルの選局に関する制御信号は、例えば、デジタルチューナ４及びアナログチューナ５の局部発振回路から出力される局部発振信号の局部発振周波数に対応する周波数データ（例えば、PLLデータ）であり、局部発振回路が当該周波数データに応じた局部発振周波数を有する局部発振信号を出力することにより、デジタルチューナ４及びアナログチューナ５によるチャンネルの選局が行われる。
【００２２】
デジタル復調部６は、例えば、制御部１８からの指示に従って、デジタルチューナ４から出力された中間周波信号に対して復調や誤り訂正などの処理を実行し、トランスポートストリーム（TS）を生成して、ＴＳデコーダ８に出力する。
ＴＳデコーダ８は、デジタル復調部６から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等に分離するとともに、当該ビデオストリーム及びオーディオストリームをデジタル映像・音声デコーダ９に出力する。また、ＰＳＩ／ＳＩに含まれるデータを制御部１８に供給する。
デジタル映像・音声デコーダ９は、ＴＳデコーダ８から入力されたビデオストリームを復号し、逆ＤＣＴ変換や動き補償制御等を行い、所定の映像データを生成して切替部１１を介して映像処理部１２に出力するとともに、ＴＳデコーダ８から入力されたオーディオストリームを復号して、所定の音声データを生成し、切替部１１を介して映像処理部１２に出力する。
【００２３】
アナログ復調部７は、例えば、制御部１８からの指示に従って、アナログチューナ５から出力された中間周波信号に対して復調等の処理を実行し、アナログ映像・音声デコーダ１０に出力する。
アナログ映像・音声デコーダ１０は、アナログ復調部７から入力された映像信号を復号し、所定の映像データを生成して切替部１１を介して映像処理部１２に出力するとともに、アナログ復調部７から入力された音声信号を復号し、所定の音声データを生成して切替部１１を介して音声処理部１３に出力する。
【００２４】
切替部１１は、制御部１８からの指示に従って、デジタル映像・音声デコーダ９からの出力又はアナログ映像・音声デコーダ１０からの出力に経路を切り替える。
【００２５】
映像処理部１２は、ビデオデコーダから入力された映像データに対して、Ｄ／Ａ変換等の各種処理を施し、映像信号を生成する。また、音声処理部１３は、オーディオデコーダから入力された音声データに対して、Ｄ／Ａ変換等の各種処理を施し、音声信号を生成する。そして、生成された映像信号は、映像出力部１５に出力されるとともに、音声信号は音声出力部１６に出力される。
【００２６】
ＯＳＤ付加回路１４は、制御部１８からの指示出力に応じて、ＲＯＭ１８５に格納された図示しないＯＳＤデータを映像処理部１２から出力された映像信号に合成する処理を行う。
【００２７】
映像出力部１５は、例えば、ＬＣＤ（Liquid Crystal Display）、ＰＤＰ（Plasma Display Panel）等の表示画面（表示手段）１５ａを備え、映像処理部１２から入力された映像信号に基づく映像を表示画面１５ａに表示させる。
音声出力部１６は、例えば、スピーカ１６ａ等を備え、音声処理部１３から入力された音声信号に基づく音声をスピーカ１６ａにより出力させる。
【００２８】
キー入力部１７は、例えば、受信機本体１を遠隔操作するためのリモートコントロール装置（以下、リモコンという。）であり、複数のキーを備えて構成されている。キー入力部１７に備わる複数のキーは、例えば、電源オン／オフキー１７ａと、チャンネルアップ／ダウンキー１７ｂと、デジタル放送選局キー１７ｃと、アナログ放送選局キー１７ｄと、テンキー１７ｄと、等であり、ユーザによるキーの押下操作に応じて、押下されたキーに対応するリモートコントロール信号（以下、リモコン信号という。）が出力されるようになっている。
【００２９】
制御部１８は、ＣＰＵ（Central Processing Unit）１８１と、ＲＡＭ（Random Access Memory）１８２と、チャンネルマップメモリ１８３と、計時部１８４と、ＲＯＭ（Read Only Memory）１８５と等を備えて構成されている。
【００３０】
ＣＰＵ１８１は、受信機本体１の各部及びキー入力部１７から入力された入力信号に応じて、ＲＯＭ１８５に格納された各種プログラムを実行するとともに、実行にかかるプログラムに基づく出力信号を各部に出力することにより、テレビジョン受信機１００の動作全般を統括制御する。
【００３１】
ＲＡＭ１８２は、ＣＰＵ１８１によって各種プログラムが実行される際に生じる処理結果や、入力されたデータ等を一時的に記憶する。
【００３２】
チャンネルマップメモリ１８３は、例えば、フラッシュメモリや、ＥＰＲＯＭ（Erasable Programmable ROM）等の不揮発性のメモリから構成され、スキャン受信処理により受信されたチャンネルのチャンネルデータを記憶するチャンネルマップを備えている。具体的には、チャンネルマップメモリ１８３には、チャンネルプリセットのスキャン受信処理において、デジタルチューナ４及びアナログチューナ５により選局されたチャンネルの放送信号について、周波数の確定が行われたときに、各々の放送信号が存在するチャンネル（物理チャンネル）と、当該各々の放送信号の周波数データとが、デジタル放送であるか或いはアナログ放送であるかの分類とともに相互に対応付けられて記憶される。
【００３３】
計時部１８４は、例えば、現在日時を年、月、日、時、分、秒単位で計時しており、ＣＰＵ１８１からの指示出力に応じて、計時した現在日時データをＣＰＵ１８１に出力する。
【００３４】
ＲＯＭ１８５は、判断プログラム１８５ａ、アナログチャンネル削除プログラム１８５ｂ、アナログ表示制御処理機能削除プログラム１８５ｃ等の各種プログラムを備えて構成されている。
【００３５】
判断プログラム１８５ａは、例えば、ＣＰＵ１８１に、予め設定された条件が成立した場合に、アナログ放送の終了と判断する機能を実現させるためのプログラムである。
ＣＰＵ１８１は、かかる判断プログラム１８５ａを実行することにより、判断手段として機能する。
【００３６】
ここで、予め設定された条件の一例として、例えば、計時部１８４により計時される現在日時が、地域毎に策定されたアナログ放送の終了日時を経過することが挙げられる。具体的には、例えば、ＣＰＵ１８１は、計時部１８４により計時される現在日時が、アナログ放送の終了日時を経過したか否かを所定のタイミング（例えば、キー入力部１７における電源オン／オフキー１７ａの押下操作に基づく電源起動時等）に判断し、計時部１８４により計時される現在日時が、アナログ放送の終了日時を経過したと判断すると、アナログ放送が終了したと判断する。ここで、地域毎に策定されたアナログ放送の終了日時は、例えば、ＰＳＩ／ＳＩに含まれて送信されてくる他、デフォルト値としてＲＯＭ１８５内に保持されていても良い。
【００３７】
また、予め設定された条件のその他の例として、例えば、ＴＳデコーダ８において、デジタル放送信号から抽出するＳＩ（Service Information：番組配列情報）内に含まれる現在日時が、地域毎に策定されたアナログ放送の終了日時を経過することが挙げられる。具体的には、例えば、ＣＰＵ１８１は、ＴＳデコーダ８においてＳＩが抽出されて制御部１８に出力されると、当該ＳＩに格納された現在日時データを抽出して、現在日時が、アナログ放送の終了日時を経過したか否かを判断する。ＣＰＵ１８１は、ＳＩ内に保持された現在日時がアナログ放送の終了日時を経過したと判断すると、アナログ放送が終了したと判断する。当該ＳＩは、デジタル放送信号としてのトランスポートストリームにおいて、映像・音声信号や、ＰＳＩと共に多重化されたＴＳパケットであり、現在日時データは、例えば、ＴＤＴ（Time and Date Table）情報や、ＴＯＴ（Time Offset Table）情報、ＳＴＴ（System Time Table）情報等に含まれている。
【００３８】
さらに、予め設定された条件のその他の例として、例えば、ユーザがチャンネルマップメモリ１８３に格納されたチャンネルマップに登録されているチャンネルの選局を所定時間内に連続して行った場合に、デジタル放送のチャンネルは受信できるもののアナログ放送のチャンネルが受信できないことが挙げられる。具体的には、例えば、ＣＰＵ１８１は、所定時間内（例えば、１時間内）に、ユーザがキー入力部１７において、チャンネルアップ／ダウンキー１７ｂや、デジタル放送選局キー１７ｃ、アナログ放送選局キー１７ｄ、テンキー１７ｄ等の押下操作により、デジタル放送のチャンネルを選局するためのキー操作を所定の回数（例えば、１回）以上行い、さらに、アナログ放送のチャンネルを選局するためのキー操作を所定の回数（例えば、３回）以上行った場合に、デジタル放送のチャンネルの放送信号は受信できるものの、アナログ放送のチャンネルが受信できない場合に、アナログ放送が終了したと判断する。
【００３９】
さらにまた、予め設定された条件のその他の例として、例えば、メニュー上に所定のアナログ放送ＯＮ／ＯＦＦ設定項目を設け、手動でアナログ放送機能のＯＦＦを行うことが挙げられる。具体的には、例えば、ＣＰＵ１８１は、表示画面１５ａに表示されたメニュー画面において、ユーザのキー入力部１７の操作により、アナログ放送ＯＮ／ＯＦＦ設定項目がＯＦＦに設定された場合に、アナログ放送が終了したと判断する。
【００４０】
アナログチャンネル削除プログラム１８５ｂは、例えば、ＣＰＵ１８１に、判断プログラム１８５ａの実行によりアナログ放送が終了したと判断された場合に、チャンネルマップにおけるアナログ放送のチャンネルデータを削除する機能を実現させるためのプログラムである。
具体的には、ＣＰＵ１８１は、上述した判断プログラム１８５ａの実行によりアナログ放送が終了したと判断した場合に、チャンネルマップメモリ１８３に格納されたチャンネルマップにアクセスして、当該チャンネルマップから、アナログ放送のチャンネルデータを削除する処理を行う。
ＣＰＵ１８１は、かかるアナログチャンネル削除プログラム１８５ｂを実行することにより、削除手段として機能する。
【００４１】
ここで、図２を参照して、当該アナログチャンネル削除プログラム１８５ｂについて具体的に説明する。図２（ａ）は、アナログ放送終了前におけるチャンネルマップの一例であり、図２（ｂ）は、アナログ放送終了後に図２（ａ）に対してアナログチャンネル削除プログラム１８５ｂの実行が行われることにより、更新されたチャンネルマップの一例である。
図２（ａ）に示すように、アナログ放送終了前のチャンネルマップには、チャンネルプリセットのスキャン受信処理において、検出された放送信号が存在するチャンネルと、当該チャンネルの放送信号の周波数データとが、デジタル放送／アナログ放送の分類とともに相互に対応付けられて記憶されている。
ＣＰＵ１８１は、判断プログラム１８５ａの実行により予め設定された条件が成立してアナログ放送が終了したと判断すると、図２（ａ）におけるチャンネルマップを読み出して、アナログ放送に分類されたチャンネルの項目を削除する。すると、図２（ｂ）に示すように、チャンネルマップには、デジタル放送の項目のみが残存する。これにより、ユーザが、キー入力部１７におけるチャンネルアップ／ダウンキー１７ｂ等の操作により、アナログ放送のチャンネルを選択した場合であっても、アナログチューナ５によるアナログ放送のチャンネルの選局処理は実行不可能となり、アナログ放送信号の受信は行われないこととなる。
【００４２】
アナログ表示制御処理機能削除プログラム１８５ｃは、例えば、ＣＰＵ１８１に、判断プログラム１８５ａの実行によりアナログ放送が終了したと判断された場合に、表示画面（表示手段）１５ａにおいてアナログ放送用の機能を選択するための表示を行う表示制御処理機能を削除する機能を実現させるためのプログラムである。
ＣＰＵ１８１は、かかるアナログ表示制御処理機能削除プログラム１８５ｃを実行することにより、削除手段として機能する。
【００４３】
ここで、アナログ放送用の機能を選択するための表示を行う表示制御処理機能の削除の例としては、例えば、リモコン等のキー入力部１７において、ユーザにより、アナログ放送のチャンネルを選局するためのアナログ放送選局キー１７ｄが押下操作された際等に、アナログ放送を選局するための表示を行う表示制御処理を行わないこと等が挙げられる。
例えば、図３（ａ）は、アナログ放送終了前において、ユーザがアナログ放送選局キー１７ｄを押下操作した際の表示画面１５ａの画面であり、ユーザは、当該表示画面１５ａを参照しながらテンキー１７ｄ等によりアナログ放送のチャンネルを入力して、所望のアナログ放送を選択する。一方、アナログ放送終了後は、ＣＰＵ１８１は、アナログ放送選局キー１７ｄを押下しても図３（ａ）に示す画面を表示させず、代わりに図３（ｂ）に示すように、アナログ放送が選局不可能である旨を表示させて、アナログ放送が終了したことをユーザに対して報知する。これにより、ユーザがキー入力部１７におけるアナログ放送選局キー１７ｄを操作しても、アナログ放送を選局するための表示制御処理が行われず、アナログ放送の受信は実行されないこととなる。
【００４４】
次に、ＣＰＵ１８１によるアナログ放送の終了に伴うアナログ放送用機能の削除処理について、図４を参照しながら説明する。
ステップＳ１において、ＣＰＵ１８１は、キー入力部１７におけるキー操作の有無を監視しており、電源オン／オフキー１７ａの操作がなされたか否かを判断する。ＣＰＵ１８１は、ステップＳ１において、電源オン／オフキー１７ａの操作がなされたと判断すると（ステップＳ１；Ｙｅｓ）、電源起動処理を行う（ステップＳ２）。次に、ＣＰＵ１８１は、予め設定された条件が成立したか否かの判断により、アナログ放送が終了したか否かを判断する（ステップＳ３）。ステップＳ３において、ＣＰＵ１８１は、予め設定された条件が成立して、アナログ放送が終了したと判断すると（ステップＳ３；Ｙｅｓ）、ステップＳ４に進み、一方、予め設定された条件が成立せずに、アナログ放送が終了していないと判断すると（ステップＳ３；Ｎｏ）、本処理を終了する。
ステップＳ４において、ＣＰＵ１８１は、チャンネルマップメモリ１８３のチャンネルマップに登録されたアナログ放送のチャンネルデータをチャンネルマップから削除する処理を行う。さらに、ＣＰＵ１８１は、ステップＳ５において、表示画面１５ａにおけるアナログ放送用の機能を選択するための表示を行う表示制御処理機能を削除する処理を行い、本処理を終了する。
【００４５】
以上説明した本発明にかかるテレビジョン放送受信機１００によれば、デジタル放送及びアナログ放送を受信可能なテレビジョン放送受信機１００において、ＣＰＵ１８１による判断プログラム１８５ａの実行により、予め設定された条件が成立した場合にアナログ放送の終了と判断され、ＣＰＵ１８１による削除プログラムの実行により、判断プログラム１８５ａの実行によりアナログ放送が終了したと判断された場合に、所定のアナログ放送用の機能を削除する削除処理が実行されるので、アナログ放送の終了に伴ってアナログ放送用の機能の削除が自動的に行われることとなって、ユーザの操作性を向上させることができる。
具体的には、ＣＰＵ１８１によるアナログチャンネル削除プログラム１８５ｂの実行により、チャンネルマップにおけるアナログ放送のチャンネルデータが削除されるので、アナログ放送終了後に、ユーザが誤ってアナログ放送のチャンネルを選局することがなくなるとともに、デジタル放送のチャンネルを選局し易くなり、チャンネルの選局におけるユーザの操作性を向上させることができる。さらに、ＣＰＵ１８１によるアナログ表示制御処理機能削除プログラム１８５ｃの実行により、表示手段においてアナログ放送用の機能を選択するための表示を行う表示制御処理機能が削除されるので、アナログ放送終了後に、ユーザが表示手段において、誤ってアナログ放送用の機能を選択することがなくなるとともに、デジタル放送用の機能を選択し易くなり、表示手段におけるユーザの操作性を向上させることができる。
【００４６】
なお、本発明は、上記実施の形態に限られることなく、本発明の趣旨を逸脱しない範囲において、種々の改良並びに設計の変更を行っても良い。
例えば、本実施形態では、デジタル放送及びアナログ放送を受信可能な放送受信機としてテレビジョン放送受信機１００を例に挙げて説明したが、放送受信機はＳＴＢ（Set Top Box）や、ＤＶＤ（Digital Versatile Disc）レコーダ等であっても良い。
また、予め設定された条件は、上記実施の形態で例示したものに限られず、例えば、ユーザによりメニュー画面等においてアナログ放送が終了した旨を示す設定入力がなされた場合等でも良い。
また、アナログ放送用の機能を選択するための表示を行う表示制御処理機能は、上記実施の形態で例示したものに限られず、例えば、アナログ放送のチャンネルプリセットの開始を指示するための表示を行う表示制御処理等でも良い。また、例えば、ＲＯＭ１８５内に、表示画面１５ａにおいてデジタル放送用の機能及びアナログ放送用の機能を選択するための表示を行うＯＳＤデータと、デジタル放送用の機能を選択するための表示を行うＯＳＤデータを格納し、ＣＰＵ１８１は、アナログ放送が終了したと判断するまでは、デジタル放送用の機能及びアナログ放送用の機能の両方を選択するための表示を行うＯＳＤデータを映像信号に付加して、表示画面１５ａにおいてＯＳＤ表示させる。そして、判断プログラム１８５ａの実行によりアナログ放送が終了したと判断すると、デジタル放送用の機能のみを選択するための表示を行うＯＳＤデータを映像信号に付加して、表示画面１５ａにおいてＯＳＤ表示させ、デジタル放送及びアナログ放送用の両機能を選択可能な表示を行うＯＳＤデータを読み出さないこととする設計であっても良い。
【図面の簡単な説明】
【００４７】
【図１】本発明にかかるテレビジョン受像機の要部構成を示すブロック図である。
【図２】アナログ放送終了前／アナログ放送終了後に、チャンネルマップメモリに格納されたチャンネルマップを例示する図である。
【図３】アナログ放送終了前／アナログ放送終了後に、アナログ放送選局キーの押下操作に基づいて表示画面に表示される画面を例示する図である。
【図４】ＣＰＵによるアナログ放送の終了に伴うアナログ放送用機能の削除処理を示すフローチャートである。
【符号の説明】
【００４８】
１００    テレビジョン放送受信機（放送受信機）
１８１    ＣＰＵ（判断手段、削除手段）
１８５ａ  判断プログラム（判断手段）
１８５ｂ  アナログチャンネル削除プログラム（削除手段）
１８５ｃ  アナログ表示制御処理機能削除プログラム（削除手段）
【図１】
0004770543.tif 000002
【図２】
0004770543.tif 000003
【図３】
0004770543.tif 000004
【図４】
0004770543.tif 000005